(57)【要約】【課題】冷凍サイクルから漏洩した冷媒が貯蔵室内に充満した場合に、貯蔵室内からショーケースの外部へと漏れ出した冷媒が床面の近くに滞留することを抑制できるショーケースを提供する。【解決手段】この発明に係るショーケースは、空気より重い冷媒が封入された冷媒配管２０を内部に収容し前面に開口９が形成された貯蔵室１０が形成された筐体１１０と、貯蔵室１０の開口９を開閉する扉２００と、扉２００の周縁と開口９の周縁との間に設けられたパッキン部４００と、を備える。パッキン部４００は、貯蔵室１０内の圧力が第１の圧力の時に全周において扉２００の周縁及び開口９の周縁の両方と接触し、貯蔵室１０内の圧力が第１の圧力より大きい第２の圧力の時に上下方向の中央よりも下側において扉２００の周縁及び開口９の周縁の両方と接触し、かつ、上下方向の中央よりも上側の少なくとも一部において扉２００の周縁又は開口９の周縁と接触しない。【選択図】図１
2020062083.tif 000002
【特許請求の範囲】
【請求項１】
空気より重い冷媒が封入された冷媒配管を内部に収容し、少なくとも前面に開口が形成された貯蔵室が形成された筐体と、
前記貯蔵室の前記開口を開閉する扉と、
前記扉の周縁と前記開口の周縁との間に設けられたパッキン部と、を備え、
前記パッキン部は、
前記貯蔵室内の圧力が第１の圧力の時に、全周において前記扉の周縁及び前記開口の周縁の両方と接触し、
前記貯蔵室内の圧力が前記第１の圧力より大きい第２の圧力の時に、上下方向の中央よりも下側において前記扉の周縁及び前記開口の周縁の両方と接触し、かつ、上下方向の中央よりも上側の少なくとも一部において前記扉の周縁又は前記開口の周縁と接触しないショーケース。
【請求項２】
前記扉は、予め設定された開閉方向に移動可能な引き戸式であり、前記開口の上縁部に形成された上側溝部内に前記扉の上端部が配置され、前記開口の下縁部に形成された下側溝部内に前記扉の下端部が配置される請求項１に記載のショーケース。
【請求項３】
前記上側溝部の溝幅は、前記下側溝部の溝幅よりも大きい請求項２に記載のショーケース。
【請求項４】
前記扉の上端部の前記開閉方向に直交する方向の幅は、前記扉の下端部の前記開閉方向に直交する方向の幅よりも小さい請求項２又は請求項３に記載のショーケース。
【請求項５】
前記パッキン部は、上下方向の中央よりも上側の少なくとも一部の厚みが、上下方向の中央よりも下側における厚みよりも小さい請求項２に記載のショーケース。
【請求項６】
前記パッキン部は、上下方向の中央よりも上側の少なくとも一部に切り込み溝が形成された請求項２に記載のショーケース。
【請求項７】
前記扉は、開き戸式であり、
前記パッキン部は、
前記扉の周縁又は前記開口の周縁に固着されたパッキン材と、
前記パッキン材の内部に設けられた磁石と、を備えた請求項１に記載のショーケース。
【請求項８】
前記磁石は、上下方向の中央よりも上側の少なくとも一部における磁力が、上下方向の中央よりも下側における磁力よりも小さい請求項７に記載のショーケース。
【請求項９】
前記パッキン材は、上下方向の中央よりも上側の少なくとも一部の幅が、上下方向の中央よりも下側における幅よりも小さい請求項７に記載のショーケース。
【発明の詳細な説明】
【技術分野】
【０００１】
この発明は、ショーケースに関するものである。
【背景技術】
【０００２】
ショーケースにおいては、前面に開口が形成されるとともに内部に商品陳列室が形成されたショーケース本体と、開口を開閉可能とする透明扉体と、ショーケース本体内の空気をダクト内を通して循環させる送風ファンと、送風ファンにより送風された空気を冷却して冷気を生成する冷却器と、を有する冷気循環式のリーチインショーケースが知られている（例えば、特許文献１参照）。
【先行技術文献】
【特許文献】
【０００３】
【特許文献１】特開２０１５−１８１７６２号公報
【発明の概要】
【発明が解決しようとする課題】
【０００４】
このような特許文献１に示されるショーケースにおいては、冷却器は冷媒を用いた冷凍サイクルの一部であることが通常である。冷却器において冷媒の漏洩が発生すると、漏洩した冷媒が商品陳列室（貯蔵室）に充満していく。そして、貯蔵室内の圧力が一定以上になると、透明扉体とショーケース本体（筐体）の開口との隙間から冷媒がショーケースの外部へと漏れ出す。ここで、冷凍サイクルで使用される冷媒が空気より重い場合、ショーケースの外部へと漏れ出した冷媒が床面の近くに滞留し、冷媒濃度が上昇してしまうおそれがある。
【０００５】
この発明は、このような課題を解決するためになされたものである。その目的は、冷凍サイクルから漏洩した冷媒が貯蔵室内に充満した場合に、貯蔵室内からショーケースの外部へと漏れ出した冷媒が床面の近くに滞留し、冷媒濃度が上昇してしまうことを抑制できるショーケースを得ることにある。
【課題を解決するための手段】
【０００６】
この発明に係るショーケースは、空気より重い冷媒が封入された冷媒配管を内部に収容し、少なくとも前面に開口が形成された貯蔵室が形成された筐体と、前記貯蔵室の前記開口を開閉する扉と、前記扉の周縁と前記開口の周縁との間に設けられたパッキン部と、を備え、前記パッキン部は、前記貯蔵室内の圧力が第１の圧力の時に、全周において前記扉の周縁及び前記開口の周縁の両方と接触し、前記貯蔵室内の圧力が前記第１の圧力より大きい第２の圧力の時に、上下方向の中央よりも下側において前記扉の周縁及び前記開口の周縁の両方と接触し、かつ、上下方向の中央よりも上側の少なくとも一部において前記扉の周縁又は前記開口の周縁と接触しない。
【発明の効果】
【０００７】
この発明に係るショーケースによれば、冷凍サイクルから漏洩した冷媒が貯蔵室内に充満した場合に、貯蔵室内からショーケースの外部へと漏れ出した冷媒が床面の近くに滞留し、冷媒濃度が上昇してしまうことを抑制できるという効果を奏する。
【図面の簡単な説明】
【０００８】
【図１】この発明の実施の形態１に係るショーケースの外観斜視図である。
【図２】この発明の実施の形態１に係るショーケースの構成を模式的に示す断面図である。
【図３】この発明の実施の形態１に係るショーケースが備える冷媒回路の構成を示す図である。
【図４】この発明の実施の形態１に係るショーケースの扉部分の構成を模式的に示す正面図である。
【図５】この発明の実施の形態１に係るショーケースの扉部分の構成例を模式的に示す断面図である。
【図６】この発明の実施の形態１に係るショーケースの扉の構成を模式的に示す正面図である。
【図７】この発明の実施の形態１に係るショーケースの扉の要部の構成例を模式的に示す断面図である。
【図８】この発明の実施の形態１に係るショーケースの扉の上部パッキンの構成例を模式的に示す断面図である。
【図９】この発明の実施の形態２に係るショーケースの外観斜視図である。
【図１０】この発明の実施の形態２に係るショーケースの扉の構成を模式的に示す正面図である。
【図１１】この発明の実施の形態２に係るショーケースの扉に設けられた磁石の要部の構成例を模式的に示す拡大図である。
【図１２】この発明の実施の形態２に係るショーケースの扉の構成例を模式的に示す正面図である。
【図１３】この発明の実施の形態２に係るショーケースの扉に設けられたパッキンの要部の構成例を模式的に示す拡大図である。
【図１４】この発明の実施の形態２に係るショーケースの扉の要部の構成例を模式的に示す断面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図８は、この発明の実施の形態１に係るものである。図１はショーケースの外観斜視図である。図２はショーケースの構成を模式的に示す断面図である。図３はショーケースが備える冷媒回路の構成を示す図である。図４はショーケースの扉部分の構成を模式的に示す正面図である。図５はショーケースの扉部分の構成例を模式的に示す断面図である。図６はショーケースの扉の構成を模式的に示す正面図である。図７はショーケースの扉の要部の構成例を模式的に示す断面図である。そして、図８はショーケースの扉の上部パッキンの構成例を模式的に示す断面図である。
【００１１】
この実施の形態に係るショーケースは、スーパー、コンビニエンスストア等に設置されて飲料や食品等を貯蔵陳列する戸開閉型のリーチインショーケース１００である。このリーチインショーケース１００は、蒸気圧縮式の冷凍サイクルによる冷凍装置を備えている。
【００１２】
この実施の形態に係るショーケースは、図１及び図２に示すように、筐体１１０を備えている。筐体１１０は、全体として直方体の箱状を呈する。図２に示すように、リーチインショーケース１００は、ショーケース本体１０１と機械室１０２とを備えている。筐体１１０の上部側がショーケース本体１０１の外殻になっている。また、筐体１１０の下部側が機械室１０２の外殻になっている。
【００１３】
ショーケース本体１０１内には冷却器としての蒸発器６が収容されている。機械室１０２内には圧縮機１、３及び放熱器２、４が収容されている。これらの蒸発器６、圧縮機１、３及び放熱器２、４の機器が接続されることで後述する冷媒回路が構成される。そして、この冷媒回路の内部に充填された冷媒が循環することで、蒸気圧縮式の冷凍サイクルが実現される。
【００１４】
筐体１１０には、貯蔵室１０が形成されている。貯蔵室１０は、筐体１１０のショーケース本体１０１部分に配置されている。貯蔵室１０は、その内部には冷却対象となる飲料、生鮮食品等を収納可能な空間である。この貯蔵室１０には、生鮮食品等を陳列するための複数の陳列棚１１が、上下方向に配列されて取り付けられている。貯蔵室１０の少なくとも前面には開口９が形成されている。
【００１５】
貯蔵室１０の上側の内壁面の前端部には、吹出口１２が形成されている。貯蔵室１０の下側の内壁面の前端部には、吸込口１６が形成されている。吹出口１２は、貯蔵室１０に臨むようにして、下側に向かって開口している。吸込口１６は、貯蔵室１０に臨むようにして、上側に向かって開口している。つまり、吹出口１２と吸込口１６は、開口９の内側において、互いに向かい合うように形成されている。
【００１６】
ショーケース本体１０１には、吸込口１６から吹出口１２に至る循環風路１４が設けられている。循環風路１４は、貯蔵室１０とは区画された通風路である。この実施の形態では、循環風路１４は、貯蔵室１０を囲む下側壁面、後側壁面及び上側壁面に沿うようにして設けられている。循環風路１４内には、蒸発器６と庫内ファン１５が設けられている。庫内ファン１５が駆動されると、蒸発器６を通過して生成された冷気が吹出口１２から下方に吹き出される。吹出口１２から吹き出された冷気は、開口９に沿って降下した後に吸込口１６から吸い込まれる。これにより、ショーケース本体１０１の開口９には、冷気のエアカーテンが形成される。
【００１７】
次に、リーチインショーケース１００の冷媒回路について説明する。図３は、この実施の形態に係るリーチインショーケースの冷媒回路図である。図３に示すように、冷媒回路は、低段側圧縮機１、補助放熱器２、高段側圧縮機３、高段側放熱器４、減圧装置としての膨張弁５、冷却器としての蒸発器６が、冷媒配管２０により順次接続されることにより構成されている。したがって、筐体１１０の内部には冷媒配管２０が収容される。冷媒配管２０内には冷媒が封入されている。
【００１８】
冷媒配管２０内に封入される冷媒は、地球温暖化係数（ＧＷＰ）の小さいものを用いることが地球環境保護上の観点からいって望ましい。また、冷媒配管２０内に封入される冷媒は可燃性である。この冷媒は空気よりも平均分子量が大きい。すなわち、冷媒は、空気よりも密度が大きく、大気圧下で空気より重い。したがって、冷媒は、空気中では重力方向の下方へと沈んでいく性質を持っている。
【００１９】
このような冷媒として、具体的に例えば、テトラフルオロプロペン（ＣＦ３ＣＦ＝ＣＨ２：ＨＦＯ−１２３４ｙｆ）、ジフルオロメタン（ＣＨ２Ｆ２：Ｒ３２）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）、二酸化炭素（ＣＯ２：Ｒ７４４）等の中から選ばれる１つ以上の冷媒からなる（混合）冷媒を用いることができる。
【００２０】
低段側圧縮機１は、冷媒を圧縮して吐出する。補助放熱器２は、低段側圧縮機１から吐出された冷媒と周囲空気とを熱交換させ、冷媒を放熱させる。高段側圧縮機３は、補助放熱器２で放熱された冷媒を圧縮して吐出する。高段側放熱器４は、高段側圧縮機３から吐出された冷媒と周囲空気とを熱交換させ、冷媒を放熱（凝縮）させる。膨張弁５は、高段側放熱器４で放熱された冷媒を減圧する。蒸発器６は、膨張弁５で減圧された冷媒を蒸発させる。
【００２１】
高段側放熱器４及び補助放熱器２は、一体型放熱器７として構成されている。一体型放熱器７には放熱器ファン８が設けられている。放熱器ファン８は、一体型放熱器７に周囲空気を通過させ、一体型放熱器７の伝熱管を通過する冷媒と熱交換させた後、熱交換後の空気を一体型放熱器７外に排気させる。
【００２２】
図１及び図２に示すように、ショーケース本体１０１には扉２００が設けられている。扉２００は、貯蔵室１０の開口９を開閉するものである。扉２００はガラス戸になっており、扉２００が閉じている状態でも扉２００の外から貯蔵室１０の中が視認できるようになっている。この実施の形態では、扉２００は、予め設定された開閉方向に移動可能な引き戸式である。扉２００の開閉方向は、開口９が設けられている前面に向かって左右方向である。
【００２３】
図１及び図４に示すように、この実施の形態の構成例では、２枚の扉２００が左右に並べて配置されている。筐体１１０の前面における開口９の上縁部には、上部レール３１０が設けられている。また、筐体１１０の前面における開口９の下縁部には、下部レール３２０が設けられている。
【００２４】
図５に示すように、上部レール３１０には、２本の上側溝部３１１が形成されている。２本の上側溝部３１１は、前後に並列され、前述した開閉方向すなわち左右方向に平行に延びて設けられている。下部レール３２０には、２本の下側溝部３２１が形成されている。２本の下側溝部３２１は、前後に並列され、前述した開閉方向すなわち左右方向に平行に延びて設けられている。
【００２５】
上側溝部３１１内に扉２００の上端部が配置される。そして、下側溝部３２１内に扉２００の下端部が配置される。２枚の扉２００のうちの一方は、前側の上側溝部３１１及び前側の下側溝部３２１に係合している。そして、他方の扉２００は、後側の上側溝部３１１及び後側の下側溝部３２１に係合している。このようにして、上部レール３１０及び下部レール３２０に案内されて、前述した開閉方向すなわち左右方向に移動可能に設けられている。
【００２６】
図６に示すように、扉２００の左右方向の一側には、取っ手２０１が設けられている。また、それぞれの扉２００の上下左右の周縁には、パッキン部４００が設けられている。パッキン部４００は、例えば弾性体からなる。
【００２７】
この実施の形態の構成例では、パッキン部４００は、扉２００の周縁に固着されている。すなわち、パッキン部４００は扉２００の周縁に接触している。なお、パッキン部４００は、扉２００の周縁に固着されるのではなく、開口９の周縁に固着されていてもよい。
【００２８】
扉２００を閉じた状態において、パッキン部４００は、開口９の周縁と接触する。そして、パッキン部４００により、扉２００と開口９との間の隙間が塞がれる。このようにして、パッキン部４００により、扉２００を閉じた際に貯蔵室１０が密閉され、貯蔵室１０内の冷気が外に漏れないようになっている。すなわち、貯蔵室１０内が通常の圧力の場合、パッキン部４００は、全周において扉２００の周縁及び開口９の周縁の両方と接触する。
【００２９】
なお、ここで説明する構成例では、図４に示すように、扉２００を閉じた状態において、２つの扉２００は、扉合わせ部２０２において前後に重なり合う。この扉合わせ部２０２においては、前側の扉２００のパッキン部４００が、後側の扉２００の前面に接触している。前述した扉２００の「全周」というのは、左右２つの扉２００を合わせた全体における全周という意味である。
【００３０】
貯蔵室１０内の圧力が上昇すると、パッキン部４００は内側から押圧される。パッキン部４００は、前述したように弾性体であるため、貯蔵室１０内の圧力が、ある限界圧力以上となるとパッキン部４００が変形して開口９の周縁と接触しなくなる。ここで、パッキン部４００が変形してパッキン部４００と開口９の周縁とが接触しなくなる限界圧力は、パッキン部４００の部位に応じて異なるようになっている。
【００３１】
具体的には、上下方向の中央よりも下側と、上下方向の中央よりも上側の少なくとも一部とについて、前述の限界圧力が異なっている。さらに詳しくは、上下方向の中央よりも上側の少なくとも一部の限界圧力（以下「上部限界圧力」ともいう）は、上下方向の中央よりも下側における限界圧力（以下「下部限界圧力」ともいう）よりも小さい。
【００３２】
貯蔵室１０の内圧が上部限界圧力より小さい第１の圧力のとき、パッキン部４００は全周において扉２００の周縁及び開口９の周縁の両方と接触している。そして、貯蔵室１０の内圧が上部限界圧力以上で下部限界圧力より小さい第２の圧力にまで上昇すると、パッキン部４００は、上下方向の中央よりも上側の少なくとも一部において開口９の周縁と接触しなくなる。一方、貯蔵室１０の内圧が前述の第２の圧力のとき、パッキン部４００は、下方向の中央よりも下側において扉２００の周縁及び開口９の周縁の両方と接触したままである。なお、以上の説明から分かるように、第２の圧力は第１の圧力より大きい。
【００３３】
次に、以上のような上部限界圧力及び下部限界圧力を有するような扉２００部分の構成例として、第１の構成例から第３の構成例を説明する。まず、第１の構成例では、図５に示すように、上側溝部３１１の溝幅Ｄ１は、下側溝部３２１の溝幅Ｄ２よりも大きい。このようにすることで、扉２００の上端側の前後方向の遊び寸法の方が、扉２００の下端側の前後方向の遊び寸法よりも大きくなる。
【００３４】
このため、扉２００の上端側の方が扉２００の下端側よりも前後方向に動きやすくなる。したがって、貯蔵室１０の内圧が上昇した場合、扉２００の上端側の方が扉２００の下端側よりも大きく前後に動き、上下方向の中央よりも上側の少なくとも一部のパッキン部４００が、上下方向の中央よりも下側のパッキン部４００よりも先に開口９の周縁と接触しなくなる。つまり、上部限界圧力を下部限界圧力よりも小さくできる。
【００３５】
なお、扉２００の上端部の前述した開閉方向に直交する方向の幅を、扉２００の下端部の前述した開閉方向に直交する方向の幅よりも小さくしてもよい。このようにしても、扉２００の上端側の前後方向の遊び寸法の方を、扉２００の下端側の前後方向の遊び寸法のよりも大きくできるため、同様の作用を得られる。
【００３６】
次に、図７を参照しながら、第２の構成例について説明する。図７は、扉２００の上端部を含む拡大断面図である。この第２の構成例では、パッキン部４００は、上下方向の中央よりも上側の少なくとも一部の厚みが、上下方向の中央よりも下側における厚みよりも小さい。同図に示す構成例は、パッキン部４００のうちの上部パッキン４１０の厚みが、側部パッキン４２０の厚みよりも小さい場合である。
【００３７】
なお、上部パッキン４１０とは、上下左右の４辺のパッキン部４００のうち上辺に設けられたパッキンである。また、側部パッキン４２０とは、上下左右の４辺のパッキン部４００のうち左右の両側辺に設けられたパッキンである。
【００３８】
以上のような第２の構成例においては、扉２００が閉じた状態での、上部パッキン４１０が開口９の周縁に押し付けられる力は、側部パッキン４２０が開口９の周縁に押し付けられる力よりも弱くなる。このため、貯蔵室１０の内圧が上昇した場合、上部パッキン４１０が側部パッキン４２０よりも先に開口９の周縁と接触しなくなる。つまり、上部限界圧力を下部限界圧力よりも小さくできる。
【００３９】
次に、図８を参照しながら、第３の構成例について説明する。図８は、上部パッキン４１０の断面図である。この第３の構成例では、パッキン部４００は、上下方向の中央よりも上側の少なくとも一部に切り込み溝４１１が形成されている。同図に示す構成例は、パッキン部４００のうちの上部パッキン４１０に切り込み溝４１１が形成されている。切り込み溝４１１は、例えば、上部パッキン４１０の上端面から下方に向けて切り込まれて形成されている。また、切り込み溝４１１は、上部パッキン４１０における左右方向にわたって配置されている。
【００４０】
以上のような第３の構成例においては、切り込み溝４１１があることで、上部パッキン４１０は他のパッキン部４００（側部パッキン４２０）等と比較して、厚み方向（前後方向）につぶれやすくなる。このため、貯蔵室１０の内圧が上昇した場合、上部パッキン４１０が他のパッキン部４００よりも先に厚み方向につぶれて、開口９の周縁と接触しなくなる。つまり、上部限界圧力を下部限界圧力よりも小さくできる。
【００４１】
以上で説明した具体的な各構成例のいずれにおいても、上部限界圧力を下部限界圧力よりも小さくできる。すなわち、パッキン部４００は、貯蔵室１０内の圧力が第１の圧力の時に、全周において扉２００の周縁及び開口９の周縁の両方と接触している。そして、貯蔵室１０内の圧力が前述した第１の圧力より大きい第２の圧力の時に、上下方向の中央よりも下側において扉２００の周縁及び開口９の周縁の両方と接触し、かつ、上下方向の中央よりも上側の少なくとも一部において扉２００の周縁又は開口９の周縁と接触しない。
【００４２】
ここで、筐体１１０内には冷媒配管２０が収容されている。このため、冷媒配管２０等で冷媒漏洩が発生した場合、漏洩した冷媒が貯蔵室１０内にも侵入して充満していく。そして、貯蔵室１０内に冷媒が充満していくことで、貯蔵室１０内の圧力が上昇する。
【００４３】
貯蔵室１０内の圧力が上昇していくと、貯蔵室１０内の圧力が前述した上部限界圧力に到達する。すると、上下方向の中央よりも下側においてはパッキン部４００により扉２００の周縁と開口９の周縁との間の隙間が塞がれたまま、上下方向の中央よりも上側の少なくとも一部においては、パッキン部４００と開口９の周縁との間に隙間が生じる。したがって、貯蔵室１０内に充満していた冷媒は、この隙間からリーチインショーケース１００の外部へと漏れ出す。
【００４４】
リーチインショーケース１００の外部へと冷媒が漏れ出す箇所は、扉２００における上下方向の中央よりも上側である。すなわち、扉２００の下縁から漏れ出す場合と比較して、少なくとも扉２００の高さ寸法の半分は高い位置から冷媒が漏れ出すことになる。よって、リーチインショーケース１００が載置される床面から、より離れた位置から冷媒をリーチインショーケース１００の貯蔵室１０外部に逃がすことができる。したがって、貯蔵室１０内からショーケースの外部へと漏れ出した、空気より重い冷媒が、床面の近くに滞留して冷媒濃度が上昇してしまうことを抑制できる。
【００４５】
実施の形態２．
図９から図１４は、この発明の実施の形態２に係るものである。図９はショーケースの外観斜視図である。図１０はショーケースの扉の構成を模式的に示す正面図である。図１１はショーケースの扉に設けられた磁石の要部の構成例を模式的に示す拡大図である。図１２はショーケースの扉の構成例を模式的に示す正面図である。図１３はショーケースの扉に設けられたパッキンの要部の構成例を模式的に示す拡大図である。そして、図１４はショーケースの扉の要部の構成例を模式的に示す断面図である。
【００４６】
前述した実施の形態１は、引き戸式の扉を有するものであった。これに対し、ここで説明する実施の形態２は、開き戸式の扉を有するものである。以下、この実施の形態２に係るショーケースについて、実施の形態１との相違点を中心に説明する。説明を省略した構成については実施の形態１と基本的に同様である。
【００４７】
この実施の形態に係るリーチインショーケース１００は、図９に示すように、筐体１１０及び扉２００を備えている。筐体１１０には、貯蔵室１０が形成されている。貯蔵室１０の少なくとも前面には開口９が形成されている。扉２００は、貯蔵室１０の開口９を開閉するものである。扉２００はガラス戸になっており、扉２００が閉じている状態でも扉２００の外から貯蔵室１０の中が視認できるようになっている。
【００４８】
この実施の形態の構成例では、扉２００は観音開き（両開き）の開き戸式である。すなわち、２枚の扉２００が左右に並べて配置されている。２枚の扉２００のそれぞれは、左右方向において互いに遠い方の側辺部において、筐体１１０に対して回転可能に軸支されている。また、それぞれの扉２００、左右方向において互いに近い方の側辺部には、取っ手２０１が取り付けられている。
【００４９】
また、図示は省略しているが、リーチインショーケース１００は、実施の形態１と同様、蒸気圧縮式の冷凍サイクルによる冷凍装置を備えている。すなわち、空気より重い冷媒が封入された冷媒配管が筐体１１０内に収容されている。
【００５０】
図１０に示すように、それぞれの扉２００の上下左右の周縁には、パッキン部４００が設けられている。パッキン部４００は、パッキン部４００は、パッキン材５００と磁石６００とを有する。パッキン材５００は、例えば弾性体からなる。パッキン材５００は、扉２００の周縁に固着されている。磁石６００は、パッキン材５００の内部に設けられている。磁石６００は、扉２００の上下左右の周縁を囲むようにして配置される。扉２００を閉じた際に、磁石６００と対向する開口９の周縁部は、磁石６００に吸引される金属等の磁性体からなる。
【００５１】
扉２００を閉じた状態において、パッキン部４００のパッキン材５００は、開口９の周縁と接触する。そして、パッキン部４００のパッキン材５００により、扉２００と開口９との間の隙間が塞がれる。この際、磁石６００の吸引力により、パッキン材５００が開口９の周縁に密着される。このようにして、パッキン部４００のパッキン材５００により、扉２００を閉じた際に貯蔵室１０が密閉され、貯蔵室１０内の冷気が外に漏れないようになっている。すなわち、貯蔵室１０内が通常の圧力の場合、パッキン部４００は、全周において扉２００の周縁及び開口９の周縁の両方と接触する。
【００５２】
なお、パッキン材５００は、扉２００の周縁に固着されるのではなく、開口９の周縁に固着されていてもよい。パッキン材５００が開口９の周縁に固着されている場合、扉２００を閉じた際に、磁石６００と対向する扉２００の周縁部は、磁石６００に吸引される金属等の磁性体からなる。
【００５３】
この実施の形態においても、実施の形態１と同様に、パッキン部４００の上下方向の中央よりも上側の少なくとも一部における限界圧力すなわち上部限界圧力は、パッキン部４００の上下方向の中央よりも下側における限界圧力すなわち下部限界圧力よりも小さい。次に、このような上部限界圧力及び下部限界圧力を有する扉２００部分の構成例として、第４の構成例から第７の構成例を説明する。
【００５４】
第４の構成例及び第５の構成例は、パッキン部４００の磁石６００について、上下方向の中央よりも上側の少なくとも一部における磁力を、上下方向の中央よりも下側における磁力よりも小さくしたものである。このようにすることで、上下方向の中央よりも上側の少なくとも一部においてパッキン材５００が開口９の周縁に密着しようとする力を、上下方向の中央よりも下側においてパッキン材５００が開口９の周縁に密着しようとする力よりも弱くできる。このため、上部限界圧力は下部限界圧力よりも小さくなる。
【００５５】
図１１は、図１０中のＡ部における磁石６００を拡大したものである。第４の構成例では、図１１に示すように、磁石６００は、上下方向の中央よりも上側の少なくとも一部の幅が、上下方向の中央よりも下側における幅よりも小さい。同図に示す構成例は、パッキン部４００のうちの上部磁石６１０の幅が、側部磁石６２０の幅よりも小さい場合である。
【００５６】
なお、上部磁石６１０とは、上下左右の４辺の磁石６００のうち上辺に設けられた磁石である。また、側部磁石６２０とは、上下左右の４辺の磁石６００のうち左右の両側辺に設けられた磁石である。このようにすることで、上部磁石６１０の吸引力を側部磁石６２０の吸引力よりも弱くできる。
【００５７】
次に、第５の構成例では、図１２に示すように、上部磁石６１０の一部において、磁石がない磁力空白部６１１を形成したものである。この構成例によっても、上部磁石６１０の吸引力を側部磁石６２０の吸引力よりも弱くできる。
【００５８】
図１３は、図１０中のＡ部におけるパッキン材５００を拡大したものである。第６の構成例では、図１３に示すように、パッキン材５００について、上下方向の中央よりも上側の少なくとも一部の幅が、上下方向の中央よりも下側における幅よりも小さい。同図に示す構成例は、上部パッキン材５１０の幅が、側部パッキン材５２０の幅よりも小さい場合である。
【００５９】
なお、上部パッキン材５１０とは、上下左右の４辺のパッキン材５００のうち上辺に設けられたパッキン材である。また、側部パッキン材５２０とは、上下左右の４辺のパッキン材５００のうち左右の両側辺に設けられたパッキン材である。このようにすることで、貯蔵室１０の内圧が高まった場合に、上部パッキン材５１０の方が側部パッキン材５２０よりも扉２００の外側へとめくれやすくできる。このため、上部限界圧力は下部限界圧力よりも小さくなる。
【００６０】
なお、図１４に示す第７の構成例のように、上部パッキン材５１０の前後方向の厚みを側部パッキン材５２０の前後方向の厚みよりも大きくしてもよい。図１４は、扉２００の上端部を含む拡大断面図である。このようにすることで、上部限界圧力を下部限界圧力よりも小さくしつつ、貯蔵室１０の内圧が上部限界圧力より小さい状態において、上部パッキン材５１０を、より確実に開口９の周縁に密着させることができる。
【００６１】
以上のように構成されたショーケースにおいても、実施の形態１と同様の効果を奏することができる。すなわち、パッキン部４００は、貯蔵室１０内の圧力が第１の圧力の時に、全周において扉２００の周縁及び開口９の周縁の両方と接触している。第１の圧力は、上部限界圧力よりも小さい圧力である。そして、貯蔵室１０内の圧力が前述した第１の圧力より大きい第２の圧力の時に、上下方向の中央よりも下側において扉２００の周縁及び開口９の周縁の両方と接触し、かつ、上下方向の中央よりも上側の少なくとも一部において扉２００の周縁又は開口９の周縁と接触しない。第２の圧力は、上部限界圧力以上で、下部限界圧力よりも小さい圧力である。
【００６２】
筐体１１０内の冷媒配管２０等で冷媒漏洩が発生し、漏洩した冷媒が貯蔵室１０内に充満していくと、貯蔵室１０内の圧力が上昇する。貯蔵室１０内の圧力が上昇していくと、貯蔵室１０内の圧力が前述した上部限界圧力に到達する。すると、上下方向の中央よりも下側においてはパッキン部４００により扉２００の周縁と開口９の周縁との間の隙間が塞がれたまま、上下方向の中央よりも上側の少なくとも一部においては、パッキン部４００と開口９の周縁との間に隙間が生じる。したがって、貯蔵室１０内に充満していた冷媒は、この隙間からリーチインショーケース１００の外部へと漏れ出す。
【００６３】
リーチインショーケース１００の外部へと冷媒が漏れ出す箇所は、扉２００における上下方向の中央よりも上側である。すなわち、扉２００の下縁から漏れ出す場合と比較して、少なくとも扉２００の高さ寸法の半分は高い位置から冷媒が漏れ出すことになる。よって、リーチインショーケース１００が載置される床面から、より離れた位置から冷媒をリーチインショーケース１００の貯蔵室１０外部に逃がすことができる。したがって、貯蔵室１０内からショーケースの外部へと漏れ出した、空気より重い冷媒が、床面の近くに滞留して冷媒濃度が上昇してしまうことを抑制できる。
【符号の説明】
【００６４】
１    低段側圧縮機
２    補助放熱器
３    高段側圧縮機
４    高段側放熱器
５    膨張弁
６    蒸発器
７    一体型放熱器
８    放熱器ファン
９    開口
１０    貯蔵室
１１    陳列棚
１２    吹出口
１３    吸込口
１４    循環風路
１５    庫内ファン
１６    吸込口
２０    冷媒配管
７２    伝熱管
１００    リーチインショーケース
１０１    ショーケース本体
１０２    機械室
１１０    筐体
２００    扉
２０１    取っ手
２０２    扉合わせ部
３１０    上部レール
３１１    上側溝部
３２０    下部レール
３２１    下側溝部
４００    パッキン部
４１０    上部パッキン
４１１    切り込み溝
４２０    側部パッキン
５００    パッキン材
５１０    上部パッキン材
５２０    側部パッキン材
６００    磁石
６１０    上部磁石
６１１    磁力空白部
６２０    側部磁石
【図１】
2020062083.tif 000003
【図２】
2020062083.tif 000004
【図３】
2020062083.tif 000005
【図４】
2020062083.tif 000006
【図５】
2020062083.tif 000007
【図６】
2020062083.tif 000008
【図７】
2020062083.tif 000009
【図８】
2020062083.tif 000010
【図９】
2020062083.tif 000011
【図１０】
2020062083.tif 000012
【図１１】
2020062083.tif 000013
【図１２】
2020062083.tif 000014
【図１３】
2020062083.tif 000015
【図１４】
2020062083.tif 000016